(57)【特許請求の範囲】
【請求項１】
錠機構部が扉に内設されるとともに、該錠機構部に付設して制御信号を送受する制御装置が内設され、
前記扉の表面に固定され、前記錠機構部に連動連結される杆状グリップの両端を支持する台座と、
前記台座に設けられる電池収納部と、
前記電池収納部に隣接し、前記制御装置からの電源線末端に接続したコネクタを収納するコネクタ収納部と、
前記台座の外側板の少なくとも正面を含む一部を構成し、前記電池収納部と前記コネクタ収納部とを開閉自在とし、開放時に前記電池収納部と前記コネクタ収納部とを表出させる蓋体と、
を具備することを特徴とする電気錠の台座構造。
【請求項２】
請求項１記載の電気錠の台座構造であって、
前記扉の台座の取り付けによって覆われる表面に、前記コネクタ収納部に電源線を導出する電源線貫通穴が穿設され、
前記コネクタ収納部には、前記電源線貫通穴よりも高所位置に上端が起立配置する止水壁が設けられることを特徴とする電気錠の台座構造。
【請求項３】
請求項１又は２記載の電気錠の台座構造であって、
前記電池収納部には、電池を保持する別体の電池収納箱が内設されることを特徴とする電気錠の台座構造。
【発明の詳細な説明】
【技術分野】
【０００１】
本発明は、電気錠の台座構造に関する。
【背景技術】
【０００２】
電気錠には、特許文献１のように、建物側から蝶番を介して配線を引き込み、扉内の電気錠に１００Ｖ商用電源を供給するものが知られている。また、扉と建物との結線を無くすために、錠箱に近接するように、扉へ電池の収容部を設ける構成が、特許文献２と特許文献３に開示されている。特許文献２の遠隔操作型電気錠装置は、扉面に取り付けられる所謂面付錠であって、面付錠の錠ケース内に電池の収容部が設けられ、機構部分と、制御回路、電池（電源）が１つの箱内に納められる。特許文献３の情報読取機能付錠は、扉の厚み内に納めるように構成され、錠機構部、制御回路、電池収容部（電池ボックス）、の各部が、扉の木口側彫り込み部分に納められる。
【先行技術文献】
【特許文献】
【０００３】
【特許文献１】特開２００３−１８４３６９号公報
【特許文献２】特開２００３−２６９０１８号公報
【特許文献３】特開２００３−１６１０６６号公報
【発明の概要】
【発明が解決しようとする課題】
【０００４】
しかしながら、機構部分と、制御回路、電池（電源）が１つの箱内に納められる遠隔操作型電気錠装置は、大型化が避けられない問題があった。また、各部が扉の彫り込み部分に納められる情報読取機能付錠は、扉の厚さ以内に相応の空間を必要とし、その空間を形成するために彫り込み加工をしなければならない。また、電池交換の際には、脱着が行い難く、木口からの出し入れ構造などでは、扉を開けなければならず、閉扉時に電池切れの場合には交換できなくなる不都合もあった。
【０００５】
本発明は上記状況に鑑みてなされたもので、その目的は、扉表面に電池収納用の大型の箱等が露出せず、且つ電池交換が容易となる電気錠の台座構造を提供することにある。
【課題を解決するための手段】
【０００６】
次に、上記の課題を解決するための手段を、実施の形態に対応する図面を参照して説明する。
本発明の請求項１記載の電気錠１１の台座構造は、
錠機構部２５，２７が扉１５に内設されるとともに、該錠機構部に付設して制御信号を送受する制御装置が内設され、
前記扉１５の表面に固定され、前記錠機構部２５，２７に連動連結される杆状グリップ２３の両端を長手方向両端でそれぞれ支持する長尺の台座１３と、
前記台座１３の一対のグリップ支持部２１の間に設けられる電池収納部６１と、
前記電池収納部６１に隣接し、前記制御装置からの電源線末端に接続したコネクタ７１を収納するコネクタ収納部６９と、
前記台座１３の外側板の少なくとも正面を含む一部を構成し、前記電池収納部６１と前記コネクタ収納部６９とを開閉自在とし、開放時に前記電池収納部６１と前記コネクタ収納部６９とを表出させる蓋体５７と、
を具備することを特徴とする。
【０００７】
この電気錠１１の台座構造では、錠機構部として２つの錠機構部である第一錠箱２５及び第二錠箱２７が扉１５の内部に設けられ、これら錠箱２５，２７へ杆状グリップ２３からの操作力を入力する台座１３が扉表面に設けられる。従来、錠機構部と一体に設けられていた電池収納部６１が、錠機構部とは別体の台座１３内に設けられる。これにより、扉表面にこれら錠機構部，制御装置，電池収納部を一体に収納していた大型の箱等を設ける必要がなくなる。そして、台座１３に開閉自在に設けられる蓋体５７によって、電池収納部６１に対する電池交換などが行える。また蓋体５７の開放により、制御装置と電池収納部６１との電気的接続作業を行うことが可能となる。
【０００８】
請求項２記載の電気錠１１の台座構造は、請求項１記載の電気錠１１の台座構造であって、
前記扉１５の台座１３の取り付けによって覆われる表面に、前記コネクタ収納部６９に電源線４９を導出する電源線貫通穴５１が穿設され、
前記コネクタ収納部６９には、前記電源線貫通穴５１よりも高所位置に上端が起立配置する止水壁７５が設けられることを特徴とする。
【０００９】
この電気錠１１の台座構造では、扉１５内部に設けられた制御装置から導出される電源線４９が、電源線貫通穴５１から引き出された後、電源線貫通穴５１よりも高所の止水壁７５の上端に配線されることで、扉１５を挟む室内外での気温差から発生する結露や扉１５内で発生した結露水が電源線４９を伝っても、止水壁７５の上端よりも下方で湾曲して配置される電源線４９により、その水滴が上へ延びる止水壁７５の手前で止まることとなり、電池収納部６１へ浸入しなくなる。
【００１０】
請求項３記載の電気錠１１の台座構造は、請求項１又は２記載の電気錠１１の台座構造であって、
前記電池収納部６１には、電池５９を保持する別体の電池収納箱７７が内設されることを特徴とする。
【００１１】
この電気錠１１の台座構造では、電池収納部６１に取り付けられた電池収納箱７７が交換可能となり、任意形状の電池５９を収納することが可能となる。
【発明の効果】
【００１２】
本発明に係る請求項１記載の電気錠の台座構造によれば、錠機構部が扉の内部に設けられ、この錠機構部へ杆状グリップからの操作力を入力する台座が扉表面に別体に設けられるとともに、この台座に電池収納部を設けたので、扉表面にこれら錠機構部，制御装置，電池収納部の全てを一体に収納していた大型の箱等を設ける必要がなくなる。そして、台座の正面に開閉自在に設けられる蓋体によって、電池収納部内にアクセス可能となって、電池交換等を容易に行うことが可能となる。またこの蓋体の開放により、制御装置と電池収納部との電気的接続作業や確認、メンテナンスも行うことが可能となる。
【００１３】
請求項２記載の電気錠の台座構造によれば、扉から電源線貫通穴を介して導出された電源線が、一旦、電源線貫通穴よりも高所の止水壁の上端まで屈曲されるので、扉内等で発生した結露水等が電源線を伝って電池収納部へ浸入しなくなる。
【００１４】
請求項３記載の電気錠の台座構造によれば、電池収納部に別体の電池収納箱を取り付け可能としたことで、任意形状の電池を収納することができ、すなわち制御装置に対応した容量や大きさ，形状の電池を収納配置でき、電池収納箱の交換も可能となって、汎用性を高めることができる。
【図面の簡単な説明】
【００１５】
【図１】本発明に係る台座構造を備えた電気錠の外観斜視図である。
【図２】錠機構部である第一錠箱及び第二錠箱の斜視図である。
【図３】台座の一部省略側面図である。
【図４】図３のＡ−Ａ断面図である。
【図５】図３のＢ−Ｂ断面図である。
【図６】図１の分解斜視図である。
【図７】蓋体を外した台座の正面図である。
【図８】電池収納部に電池収納箱を設けた変形例の要部側面図を（ａ）に要部        正面図を（ｂ）に示した図である。
【発明を実施するための形態】
【００１６】
以下、本発明の実施の形態を図面を参照して説明する。
図１は本発明に係る台座構造を備えた電気錠の外観斜視図である。
本実施の形態に係る台座構造を備える電気錠１１は、扉１５の表裏である屋外面１７と屋内面１９とに台座を有し、少なくとも屋内面１９の台座１３は上下に長く一体となった台座１３とされ、表裏の台座１３の上下端近傍に腕状のグリップ支持部２１を備える。グリップ支持部２１は、一対で構成され、杆状グリップ２３の両端を長手方向両端で揺動自在に支持する。
【００１７】
図２は錠機構部としての第一錠箱２５及び第二錠箱２７の斜視図である。
本実施の形態では、電気錠１１は２つの錠機構部を具備し、第一デッドボルト２９を進退自在に備える一方の錠機構部としての第一錠箱２５と、第二デッドボルト３１を進退自在に備える他方の錠機構部としての第二錠箱２７が別体となって扉１５に取り付けられる。本実施の形態において、第一錠箱２５及び第二錠箱２７は扉１５の開閉端側の木口３３に上下の位置関係で互いに鉛直方向に離間して設けられている。なお、台座１３は、第一錠箱２５、第二錠箱２７が内蔵された機構位置と合致して配置されていてもよく、また、第一錠箱２５と第二錠箱２７との上下間隔と、台座１３の上下長は必ずしも一致しなくてもよい。
【００１８】
第一錠箱２５と第二錠箱２７の少なくともその一方には不図示の制御装置が付設されている。本実施の形態では第一錠箱２５の内部に制御装置の一部が付設され、例えば電動モーターが内設されるとともにこのモーターを駆動制御する制御信号を送信する制御回路や歯車等の回転状態を検出するセンサからの信号を受信する回路等が設けられる。第二錠箱２７は、第一錠箱２５からの駆動力が連結杆３５を介して入力される。連結杆３５は、木口３３に沿って扉１５の内部に内蔵される。なお、第一デッドボルト２９、第二デッドボルト３１はカマデッド３７が連動して設けられ、カマデッド３７はボルト進出時にストライクの背面に係止してバール等によるこじ開けに高い抗力を発揮する。
【００１９】
第二錠箱２７にはラッチボルト３９が進退自在に設けられている。ラッチボルト３９は第二錠箱２７の側面４１に形成された作動片挿入穴４３に、後述の作動片４５が挿入されて、この作動片４５に連動し進退動作となる。第一錠箱２５の側板にはシリンダー錠やサムターンの接続凹部４７が設けられる。また、第一錠箱２５からは後述する電源線４９が導出されている。電源線４９は、第一錠箱２５に収容される制御装置を構成する不図示の制御基板やモーターに接続される。この電源線４９は、扉１５の屋内面１９に穿設された後述の電源線貫通穴５１を貫通して扉１５の外に導出される。
【００２０】
図３は台座１３の側面図、図４は図３のＡ−Ａ断面図、図５は図３のＢ−Ｂ断面図である。
台座１３の背面からは作動片４５が突出されている。作動片４５は、扉１５に形成された角穴４６（図６参照）に挿入され、付勢バネ５３によって扉１５の内部に突出する方向に付勢される。作動片４５は、第二錠箱２７の作動片挿入穴４３に挿入され、ラッチボルト３９の進退動作を連動させる。台座１３の背面には電線導入口５５が開口し、電線導入口５５は台座１３が正規位置に固定されることで、扉１５に穿設された電源線貫通穴５１（図６参照）と一致する。
【００２１】
図６は図１の分解斜視図、図７は蓋体５７を外した台座１３の正面図である。
台座１３は、例えば合成樹脂材よりなる。屋内面１９に固定された台座１３は、上下のグリップ支持部２１の間に、電池５９を収納する電池収納部６１が設けられる。すなわち、上下に長い台座１３の略中間部分に電池収納部６１が配設されている。電池収納部６１は、蓋体５７によって開閉可能となっている。蓋体５７は、台座１３の外側板の一部を構成し、本実施の形態では、台座１３に対して脱着自在とされる。電池収納部６１には、電池電極の接触する電極６３の設けられた装着部６５が一体形成されている。電池収納部６１には隔壁６７を介してコネクタ収納部６９が隣接する。コネクタ収納部６９は、制御装置からの電源線末端に接続したコネクタ７１を収納する。このコネクタ７１は、電池収納部６１の電極６３に接続された電源側コネクタ７３と離脱自在に結合される。そしてこれらコネクタ７１と電源側コネクタ７３とがコネクタ収納部６９内に取付片６９ａにて動かぬよう支持される。
【００２２】
本電気錠の台座構造では、少なくとも角穴４６の他には電源線貫通穴５１のみが扉１５に形成されることになり、扉１５への加工が少なくなっている。本実施の形態において、コネクタ収納部６９は、電池収納部６１よりも上に配置されている。電気錠１１の台座構造では、蓋体５７が外されると、電池５９のみが見えるのではなく、コネクタ収納部６９のコネクタ７１及び電源側コネクタ７３も表出する。これにより、電池５９の交換だけでなく、コ制御装置に対して別の電源をコネクタ７１を介して接続して、この制御装置のテストやメンテナンスが容易に行えるようになっている。また、蓋体５７を開けることでコネクタ収納部６９が見えるので、組み付け作業も良好に行えるようになっている。
【００２３】
台座１３は、電源線貫通穴５１を覆うようにして、扉１５の屋内面１９に取り付けられる。コネクタ収納部６９には、電源線貫通穴５１よりも高所位置に上端が起立する止水壁７５（図７参照）が設けられている。これにより、電源線貫通穴５１から導出された電源線４９は、Ｓ字カーブを描いて縦方向、上下方向に曲がってコネクタ収納部６９へと配線される。扉１５を挟んでの屋内と屋外との気温差などで結露が生じる場合がある。その水滴が伝わりにくくするように電源線４９をＳ字状に曲げ、結露による水滴の伝わり、金属部材の錆を防止している。
【００２４】
次に、上記構成を有する台座構造の作用を説明する。
この電気錠１１の台座構造では、錠機構部である第一錠箱２５及び第二錠箱２７が扉１５内部に設けられ、錠機構部へ操作力を入力する台座１３が扉表面に設けられる。従来、錠機構部と一体に設けられていた電池収納部６１が、錠機構部とは別体の台座１３に設けられる。また、電気的構成部分の制御装置と電池収納部６１とをコネクタ結合としたので、扉１５への組み付けをそれぞれに行え、最後にコネクタ７１を結合して作業を完了させることができる。扉表面にこれらを一体に収納していた大型の箱構造等を設ける必要がなくなる。これにより、錠機構と制御装置、電池５９の各部材を分割構成しながら、一体なデザインで構成でき、見栄えを良くし、電池交換も行いやすくしている。
【００２５】
コネクタ７１との接続が電池収納部６１に隣接した上方で電源線貫通穴５１と電線導入口５５を介して行われることで、台座１３の取り付け時、扉１５と台座１３の間で電源線４９を挟み断線しないようになっている。また、台座１３は、屋内側に向いた面が、電池収納部６１の蓋体５７になっているので、電池交換が容易となっている。さらに、扉１５内部に設けられた制御装置から導出される電源線４９が、電源線貫通穴５１から引き出された後、電源線貫通穴５１よりも高所となる止水壁７５の上端を通過するように配線されることで、仮に扉１５内で発生した結露水が電源線４９を伝っても、止水壁７５の手前で電源線４９が下向きに湾曲していることで水滴の伝わりが止まり、電池収納部６１へ浸入しなくなるようになっている。
【００２６】
図８は電池収納部６１に電池収納箱７７を設けた変形例の要部正面図である。
上記の電池収納部６１は、電池５９に接触する電極６３の設けられた装着部６５が台座１３を構成する構造体と一体形成とされたが、電池収納部６１には、電池５９を保持する別体の電池収納箱７７が取り付けられても良く、例えば図８に示すように台座１３内部にネジ固定などとする。別体構成の電池収納箱７７を電池収納部６１に設けた構成によれば、電池収納箱７７が交換されることで、容量の異なる電池や大きさ，形状の違う電池５９が収納可能となる。例えば乾電池との組合せが可能になるとともに、コネクタ接続により専用充電池などの使用も可能となる。これにより、制御装置に対応させた容量電池や、任意形状の電池５９等を収納することができ、汎用性を高めることができる。なお、電池収納箱７７は、コネクタ７１に結合される電源側コネクタ７３を予め結線しておくことで、現地においても容易な交換を可能にすることができる。
【００２７】
したがって、本実施の形態に係る電気錠１１の台座構造によれば、第一錠箱２５及び第二錠箱２７が扉１５内に設けられ、この第一錠箱２５及び第二錠箱２７と別体で扉表面に設けた台座１３に、電池収納部６１を設けたので、扉表面に、錠機構部、電池５９、制御装置等を一体に収納する大型の箱等が露出するような構造とならず、且つ電池交換が扉の正面から行え、容易となる。
【００２８】
また、電気錠１１の台座構造によれば、扉１５から電源線貫通穴５１を介して導出された電源線４９が、一旦、電源線貫通穴５１よりも高所となる止水壁７５の上端まで屈曲されるので、扉１５内で発生した結露水等が電源線４９を伝って電池収納部６１へ浸入しなくなる。電源線の配設向きを上下方向で沿わせられることで、室内外での温度差に起因するような結露が生じた際に、水滴が電源線を伝わることがなく、電源である電池を原因とする短絡事故を未然に防止することができる。
【００２９】
なお、上述した実施の形態では、錠機構部として、第一錠箱２５と第二錠箱２７とで２つの錠機構部を具備した構成の例である所謂ワンドアツーロックの構成例について述べたが、錠機構部が１つで構成される例であってもよく、すなわち、デッドボルト等を含む機構部分を１つとした錠機構部が扉に内設される構成であってもよい。
【符号の説明】
【００３０】
１１…電気錠
１３…台座
１５…扉
２１…グリップ支持部
２３…杆状グリップ
２５…錠機構部（第一錠箱）
２７…錠機構部（第二錠箱）
４９…電源線
５１…電源線貫通穴
５７…蓋体
５９…電池
６１…電池収納部
６７…隔壁
６９…コネクタ収納部
７１…コネクタ
７５…止水壁
７７…電池収納箱
【図１】
0005670696.tif 000002
【図２】
0005670696.tif 000003
【図３】
0005670696.tif 000004
【図４】
0005670696.tif 000005
【図５】
0005670696.tif 000006
【図６】
0005670696.tif 000007
【図７】
0005670696.tif 000008
【図８】
0005670696.tif 000009